(57)【特許請求の範囲】
【請求項１】
軸方向を上下方向とするグリップ部の上端にグリップ部の軸方向に対して交差する方向を軸方向とする本体を設け、本体のグリップ部から突出した軸方向の一端部にモータの回転により駆動する出力部を設け、グリップ部の上部の出力部側の面に前記本体の軸方向に移動自在のトリガーを設け、該トリガーの引込量に応じてモータの回転速度を調節するスピードコントロール機能付きスイッチを内装し、トリガーの移動域に突出引退自在となるストッパ部を内装し、該ストッパ部はトリガーの移動域に突出した際にトリガーに当接してトリガーの最大引込量を制限するものであって、グリップ部の下端部に外形がグリップ部の外形よりも大きく前記出力部側に突出した部分を有する電池収納部を設け、前記ストッパ部を操作する操作部を前記電池収納部の出力部側に突出した部分の上面に設け、該操作部を上面視で本体の軸方向に対して直交する方向である左右方向にスライド操作することで前記ストッパ部をトリガーの移動域に突出引退自在としたことを特徴とする電動工具。
【請求項２】
上記ストッパ部は操作部を左右方向にスライド操作することでトリガーの移動域の下方の非移動域から移動域まで上下方向に移動自在となるものであって、操作部の左右方向のスライド操作に連動して上下方向に移動自在となった移動体を内装し、該移動体の上端部に前記移動体の上下方向の移動に伴いトリガーの移動域に突出引退自在となるストッパ部を設け、該移動体の下端部に挿入部を設け、操作部に左右方向の一端から他端に行く程上方に位置するように傾斜したガイド傾斜溝を形成し、該ガイド傾斜溝に前記移動体の挿入部を摺動自在に挿入し、操作部を左右方向にスライド操作することでガイド傾斜溝により挿入部を上下方向に移動可能としたことを特徴とする請求項１に記載の電動工具。
【請求項３】
上記移動体が下方又は上方に移動する方向にばね力を付勢してストッパ部をトリガーの非移動域又は移動域で保持する補助ばねを設けると共に、トリガーの非移動域又は移動域のうち少なくとも前記補助ばねによりストッパ部が保持される域とは反対側の域に位置したストッパ部を保持するための保持手段を設けて成ることを特徴とする請求項２に記載の電動工具。
【請求項４】
操作部の左右方向のスライド操作に連動する移動体を内装し、該移動体に前記移動体の移動に伴いトリガーの移動域に突出引退自在となる突出引退部を設け、該移動体の突出引退部にトリガーの移動方向における位置を調節可能なストッパ部を設けて成ることを特徴とする請求項１〜３のいずれかに記載の電動工具。
【請求項５】
上記ストッパ部のトリガーに当接する当接面又はトリガーのストッパに当接する当接面のうち、一方の当接面を平坦面とし、他方の当接面として、トリガーの移動方向に段差をつけた当接面をストッパ部の突出引退方向に複数設けて成ることを特徴とする請求項１〜３のいずれかに記載の電動工具。
【請求項６】
上記本体及びグリップ部及び電池収納部を備えたハウジングに操作部の左右方向のスライド操作に連動する移動体を内装し、該移動体に前記移動体の移動に伴いトリガーの移動域に突出引退自在となるストッパ部を設け、移動体にクリック係合部を設け、ストッパ部が非移動域及び移動域に移動した際に前記クリック係合部が係合されるクリック被係合部をハウジングに一体に設けて成ることを特徴とする請求項１〜５のいずれかに記載の電動工具。
【発明の詳細な説明】
【技術分野】
【０００１】
本発明はトリガーの引込量に応じてモータの回転速度を調節するスピードコントロール機能付きスイッチを内装した電動工具に関する。
【背景技術】
【０００２】
ボルトやねじ等の締付け作業や穴あけ作業に利用される電動工具には、軸方向を上下方向とするグリップ部の上端にグリップ部の軸方向に対して交差する方向を軸方向とする本体を設けて全体を略Ｔ字状又はＬ字状に形成した手持式のものがある。この種の電動工具には例えば特許文献１に示すようにグリップ部の上端部に本体の軸方向に移動自在となったトリガーを設け、トリガーの引込量に応じてモータの回転速度を調節するスピードコントロール機能付きスイッチを内装したものがある。
【０００３】
この特許文献１に示すような電動工具にあっては、各種作業に対応するためにモータの回転速度を遅くしたい場合、使用者が指でトリガーの引込量を調整していたのだが、この場合、作業をしながらトリガーの引込量を中程に安定させることは非常に難しく、モータの回転速度を中間速度で一定にして作業を行うことが非常に難しいという問題がある。
【０００４】
またグリップ部の上端にグリップ部の軸方向に対して交差する方向を軸方向とする本体を設けて全体を略Ｔ字状又はＬ字状に形成した電動工具ではないが、例えば特許文献２には、把持部分に引込量に応じてモータの回転速度を調節可能なトリガーを設け、該トリガーの移動域に突出引退自在なストッパ部を設けたレシプロソーがあり、このものにあっては操作部を操作することでストッパ部をトリガーの移動域に突出させ、このストッパ部によりモータの最大回転速度を制限できるようになっている。
【０００５】
ところで上記特許文献２に示す電動工具にあっては、ストッパ部を操作するための操作部を電動工具の把持部分とは異なる位置である上面に設けてあり、把持部分を把持した際に操作部に手指が当たらないようにしているが、このように電動工具の上面に設けられた操作部は、作業をしていない時に電動工具を載置面に置く等した際に操作部が載置面にあたって操作される恐れがあり、使用者が気がつかないうちにモータの最大回転速度が変更される場合があった。また電動工具が誤って落下した場合に操作部が床等に当たって破損しやすいという問題もある。
【特許文献１】特開昭６０−１９６９０４号公報
【特許文献２】特開平６−２５４７７９号広報
【発明の開示】
【発明が解決しようとする課題】
【０００６】
本発明は上記従来の問題点に鑑みて発明したものであって、ストッパ部でトリガーの引込量を制限してモータの最大回転速度を変更できるのは勿論、このストッパ部を操作するための操作部がグリップ部を把持した手指や電動工具を載置した載置面にあたって誤操作されることを防止でき、しかも誤って電動工具を落下させてしまっても操作部が破損し難い電動工具を提供することを課題とするものである。
【課題を解決するための手段】
【０００７】
上記課題を解決するために本発明に係る電動工具は、軸方向を上下方向とするグリップ部１の上端にグリップ部１の軸方向に対して交差する方向を軸方向とする本体２を設け、本体２のグリップ部１から突出した軸方向の一端部にモータ６の回転により駆動する出力部５を設け、グリップ部１の上部の出力部５側の面に前記本体２の軸方向に移動自在のトリガー１７を設け、該トリガー１７の引込量に応じてモータ６の回転速度を調節するスピードコントロール機能付きスイッチ１８を内装し、トリガー１７の移動域に突出引退自在となるストッパ部２４を内装し、該ストッパ部２４はトリガー１７の移動域に突出した際にトリガー１７に当接してトリガー１７の最大引込量を制限するものであって、グリップ部１の下端部に外形がグリップ部１の外形よりも大きく前記出力部５側に突出した部分を有する電池収納部３を設け、前記ストッパ部２４を操作する操作部２５を前記電池収納部３の出力部５側に突出した部分の上面に設け、該操作部２５を上面視で本体２の軸方向に対して直交する方向である左右方向にスライド操作することで前記ストッパ部２４をトリガー１７の移動域に突出引退自在としたことを特徴とする。このようにストッパ部２４を操作するための操作部２５をグリップ部１から離れた位置にある電池収納部３の上面に設けてあるので、グリップ部１を把持する際や、把持している際に手指が操作部２５に当たり難く、またこの操作部２５を設けた電池収納部３の上面は本体２側を向く面でもあるので、作業をしていない時に電動工具を載置面に置く等した際にも操作部２５が載置面に当たり難く、これにより操作部２５が誤操作されることを防止でき、さらには電動工具が誤って落下したとしても操作部２５が床等に当たり難く、落下による操作部２５の破損を防止できる。またグリップ部１を強い力で把持する際等に手の小指側が前後方向に移動して操作部２５に当たったとしても、該操作部２５の操作方向は左右方向であるので操作部２５は移動せず、これによりグリップ部１を強い力で把持する際等の操作部２５の誤操作をも防止できる。
【０００８】
また上記ストッパ部２４は操作部２５を左右方向にスライド操作することでトリガー１７の移動域の下方の非移動域から移動域まで上下方向に移動自在となるものであって、操作部２５の左右方向のスライド操作に連動して上下方向に移動自在となった移動体２６を内装し、該移動体２６の上端部に前記移動体２６の上下方向の移動に伴いトリガー１７の移動域に突出引退自在となるストッパ部２４を設け、該移動体２６の下端部に挿入部３０を設け、操作部２５に左右方向の一端から他端に行く程上方に位置するように傾斜したガイド傾斜溝３１を形成し、該ガイド傾斜溝３１に前記移動体２６の挿入部３０を摺動自在に挿入し、操作部２５を左右方向にスライド操作することでガイド傾斜溝３１により挿入部３０を上下方向に移動可能とすることが好ましい。この場合、簡単な構成により操作部２５の左右方向の移動をストッパ部２４の上下方向に移動に変換できる。
【０００９】
また上記移動体２６が下方又は上方に移動する方向にばね力を付勢してストッパ部２４をトリガー１７の非移動域又は移動域で保持する補助ばね３７を設けると共に、トリガー１７の非移動域又は移動域のうち少なくとも前記補助ばね３７によりストッパ部２４が保持される域とは反対側の域に位置したストッパ部２４を保持するための保持手段を設けることも好ましい。この場合、補助ばね３７によりガイド傾斜溝３１による挿入部３０の上下方向の移動をスムーズに行えるようになり、移動体２６と操作部２５の移動をスムーズにできる。
【００１０】
また操作部２５の左右方向のスライド操作に連動する移動体２６を内装し、該移動体２６に前記移動体２６の移動に伴いトリガー１７の移動域に突出引退自在となる突出引退部３８を設け、該移動体２６の突出引退部３８にトリガー１７の移動方向における位置を調節可能なストッパ部２４を設けることも好ましい。この場合、ストッパ部２４のトリガー１７の移動方向における位置を調節して、ストッパ部２４によって決定されるトリガー１７の最大引込量及びモータ６の最大回転速度を調整できる。
【００１１】
また上記ストッパ部２４のトリガー１７に当接する当接面又はトリガー１７のストッパに当接する当接面のうち、一方の当接面を平坦面とし、他方の当接面として、トリガー１７の移動方向に段差をつけた当接面４１をストッパ部２４の突出方向に複数設けることも好ましい。この場合、ストッパ部２４又はトリガー１７を任意の当接面４１に当接してストッパ部２４によって決定されるトリガー１７の最大引込量及びモータ６の最大回転速度を複数段階調節できる。
【００１２】
また上記本体２及びグリップ部１及び電池収納部３を備えたハウジング４に操作部２５の左右方向のスライド操作に連動する移動体２６を内装し、該移動体２６に前記移動体２６の移動に伴いトリガー１７の移動域に突出引退自在となるストッパ部２４を設け、移動体２６にクリック係合部３３を設け、ストッパ部２４が非移動域及び移動域に移動した際に前記クリック係合部３３が係合されるクリック被係合部３５をハウジング４に一体に設けることも好ましい。この場合、ストッパ部２４が非移動域及び移動域に移動した際にはクリック係合部３３にクリック被係合部３５が係合されるので、操作部２５の切換時にクリック感が得られ、またこのクリック被係合部３５はハウジング４に一体に設けたものであるので、クリックばね３４等の別途部在を設ける必要がなく、簡単な構成によりクリック感が得られる。
【発明の効果】
【００１３】
本発明では、グリップ部を把持する際や、把持している際に手指が操作部に当たり難く、また作業をしていない時に電動工具を載置面に置く等した際にも操作部が載置面に当たり難く、これにより操作部が誤操作されることを防止できる。また電動工具が誤って落下したとしても操作部が床等に直接当たり難く、落下による操作部の破損を防止できる。またグリップ部を強い力で把持する際等に手の小指側が前後方向に移動して操作部に当たったとしても、該操作部の操作方向は左右方向であるので操作部は移動せず、これによりグリップ部を強い力で把持する際等の操作部の誤操作をも防止できる。
【発明を実施するための最良の形態】
【００１４】
以下、本発明を添付図面に示す実施形態に基いて説明する。図１〜６に示す本例の電動工具は手持式でインパクトドライバやインパクトレンチとして利用されるインパクト回転工具である。
【００１５】
図１に示すように電動工具は略中空丸筒状のグリップ部１の軸方向の一端にグリップ部１の軸方向に交差する方向を軸方向とする略中空丸筒状の本体２を設けてあり、本体２、グリップ部１、グリップ部１の本体とは反対側の他端に設けた電池収納部３でハウジング４を形成している。なお以下の説明ではグリップ部１の軸方向を上下方向とし、グリップ部１の軸方向における本体２側を上方とし、また上面視で本体２の軸方向に直交する方向を左右方向と定義する。
【００１６】
グリップ部１の上端に設けた本体２はその軸方向をグリップ部１の軸方向と直交する前後方向としてあり、軸方向（前後方向）の中程をグリップ部１の上端に一体に接続してあってグリップ部１とで側面視略Ｔ字状をなしている。また本体２の外形はグリップ部１の外形よりも大きい。
【００１７】
本体２のグリップ部１から突出した軸方向の一端部には図示しないドライバービットやソケットなどの工具が着脱自在に装着される出力部５を設けている。ここで本体２の軸方向における出力部５側を前側とし、反対側を後側と定義する。
【００１８】
出力部５は本体２の後部に設けたモータ６を駆動源として本体２の軸方向回りに回転駆動するものであり、モータ６の回転駆動力は本体２に内装した駆動伝達部７を介して出力部５に伝達される。
【００１９】
駆動伝達部７は、一端側（後端側）をモータ６に連結した減速部８と、減速部８の他端側（前端側）に連結される打撃発生部９とで構成され、減速部８及び打撃発生部９を介してモータ６の回転駆動力が減速されてアンビルである出力部５にまで伝達されると共に、出力部５に所定荷重を超える荷重がかかる場合には打撃発生部９にて打撃運動が行われ、この打撃運動により出力部５に衝撃的な回転駆動力が伝達されるようになっている。
【００２０】
減速部８は遊星減速機構からなり、本体２の内面に固着されたリングギア１０と、リングギア１０の中心部に回転自在に配されたサンギア１１と、リングギア１０の内面とサンギア１１の外面とに噛合して配された複数個のプラネトギア１２とにより構成され、プラネトギア１２の公転運動が打撃発生部９の駆動軸１３に伝達されるようになっている。
【００２１】
打撃発生部９はプラネトギア１２により回転駆動される前記駆動軸１３と、カム機構１４を介して駆動軸１３と一体に回転駆動されるように、且つ、スライド自在に連結されるハンマ１５と、ハンマ１５を出力部５側に付勢するスプリング１６とを備えたものであり、出力部５にかかる荷重が所定荷重以下である場合には、駆動軸１３と一体に回転駆動されるハンマ１５が、スプリング１６に付勢されて出力部５と噛合し、出力部５を一体に回転駆動させるものである。そして、ねじ締め等の作業中に出力部５にかかる荷重が所定荷重を超えた場合には、駆動軸１３と一体に回転駆動されるハンマ１５が、カム機構１４を介してモータ６側にスライドし、その後にスプリング１６の復元力により出力部５に対して衝撃的に噛合して、出力部５に対して回転方向の打撃を加えることとなる。上記一連の打撃動作を繰り返すことで出力部５に衝撃的な回転駆動力が伝達され、強力な締結トルクが生じるものである。
【００２２】
グリップ部１の上端部の出力部５側の面である前面には引込操作によりモータ６を回転するトリガー１７を前後方向に移動自在に設けてあり、グリップ部１の上端部にはトリガー１７の引込量に応じてモータ６の回転速度を無段階で調節するスピードコントロール機能付きスイッチ１８を内装している。
【００２３】
スイッチ１８はリード線１９を介してモータ６に電気的に接続されたスイッチ本体２０と、スイッチ本体２０から前方に向けて突出して前後方向に移動自在となったスイッチ部２１を備えており、スイッチ部２１の先端に前記トリガー１７を固着している。トリガー１７はその平坦面となった後面が図１に示すスイッチ本体２０の前面から前方に所定距離離れた位置から図３に示すスイッチ本体２０の前面に当接する位置までの範囲内で前後方向に移動自在としてあり、この範囲内でトリガー１７を移動してスイッチ部２１のスイッチ本体２０への引込量を調整することで回路部を備えたスイッチ本体２０により電気的にモータ６の回転速度を変更できるようにしている。そして図１の状態ではモータ６が回転せず、図３の状態ではモータ６が最大回転速度で回転するように設定してある。
【００２４】
また電池収納部３は電源となる電池を収納するもので、グリップ部１の下端に一体に設けた電池パック取付部２２と、電池パック取付部２２の下面に着脱自在に取付けられる電池パック２３とからなる。電池パック２３に収納した電池は電池端子を介してスイッチ本体２０に電気的に接続してあり、トリガー１７を引込操作することでモータ６に通じてモータ６に電力を供給できるようになっている。ここで電池収納部３の外形はグリップ部１の外形よりも大きくなっており、電池収納部３の前部と左右方向の両側部はグリップ部１よりも外方に突出してその上面が本体２に対向している。
【００２５】
上記グリップ部１にはトリガー１７の移動域に突出引退自在となるストッパ部２４を内装してあり、該ストッパ部２４をトリガー１７の移動域に突出することで、ストッパ部２４をトリガー１７に当接してトリガー１７の最大引込量を制限できるようになっている。
【００２６】
そして本発明では上記ストッパ部２４を操作する操作部２５を電池収納部３の上面に設けてあり、またこの操作部２５を左右方向にスライド操作することで前記ストッパ部２４をトリガー１７の移動域に突出引退自在としている。以下ストッパ部２４と操作部２５について詳述する。
【００２７】
ストッパ部２４は上下方向に移動自在に内装した縦に長い片状の移動体２６に形成されている。移動体２６は図６に示すようにグリップ部１から電池収納部３の電池パック取付部２２に至る部位に配され、グリップ部１や電池パック取付部２２に上下方向にのみ所定の範囲内で移動自在に支持されており、該移動体２６の上端部をストッパ部２４としている。移動体２６は該移動体２６の上下方向の移動に伴いストッパ部２４がトリガー１７の移動域の下方にある非移動域から移動域に突出した位置までの範囲で移動できるように設定されている。
【００２８】
操作部２５は電池収納部３のグリップ部１よりも前方に突出した前部の上面部に形成したスライド孔２７に設けている。この操作部２５は図５のように操作面となる上面よりもやや下方に控えた位置から左右方向の両外側に向けて突出した摺動片２８をスライド孔２７の左右両内側面に形成したスライド溝２９に摺動自在に挿入することで左右方向にスライド自在としたものであり、ハウジング４の電池収納部３のスライド溝２９の上面を形成する部分によりスライド溝２９を覆ってスライド溝２９内に塵や埃等が入らないようにしている。また操作部２５の上面は電池収納部３の上面よりもやや下方に位置しておりスライド孔２７内に収まっている。
【００２９】
そして上記操作部２５の左右方向のスライド操作に連動してストッパ部２４は上下方向に移動自在となるものであり、このストッパ部２４及び操作部２５間には操作部２５の左右方向の移動をストッパ部２４の上下方向の移動に変換する動作変換機構部を設けている。
【００３０】
動作変換機構部は、移動体２６の下端部に設けた挿入部３０と、操作部２５に形成したガイド傾斜溝３１とからなる。挿入部３０は移動体２６の下端を約９０°前方に曲げて形成した突片部３２の先端部からなり、該挿入部３０はガイド傾斜溝３１の傾斜方向と平行となっている。ガイド傾斜溝３１は操作部２５の電池収納部３内に突出した下部の後面に形成してあり、左右方向の一端から他端（図示例では左端から右端）に行く程上方に位置するように傾斜している。ガイド傾斜溝３１には前記挿入部３０を後方から摺動自在に挿入してあり、これにより操作部２５を左右方向にスライド操作することでガイド傾斜溝３１により挿入部３０を上下方向に移動可能としている。つまり操作部２５を左右方向にスライド操作すると、挿入部３０と共にストッパ部２４を含めて移動体２６が上下方向に移動するようにしてあり、これによりストッパ部２４をトリガー１７の移動域から非移動域の範囲内で突出引退自在としている。
【００３１】
また図４に示すように操作部２５の下部の前面には前方に突出するクリック係合部３３を設けている。クリック係合部３３はハウジング４の内面の操作部２５に対向する部位（詳しくは電池パック取付部２２の前面部の内面）に設けたクリックばね３４に係脱自在に係合するものである。クリックばね３４は折り曲げ部分が操作部２５側に突出するようにく字状に折り曲げられたもので、この折り曲げ部分が操作部２５のクリック係合部３３が係合されるクリック被係合部３５となる。クリック被係合部３５は左右方向の片側（図示例では左側）が、操作部２５がスライド孔２７の左右方向の一端（図示例では左端）に位置して図１のストッパ部２４を移動域に突出している状態にある時のクリック係合部３３に係合し、他側（図示例では右側）が、操作部２５がスライド孔２７の左右方向の他端（図示例では右端）に位置して図３のストッパ部２４を非移動域に引き込んだ状態にある時のクリック係合部３３に係合するものであり、ストッパ部２４が非移動域から移動域及び移動域から非移動域に移動した際（即ちモータ６の最大回転速度を切換えた際）に、クリック係合部３３がクリック被係合部３５を乗り越えてクリック感が得られるようになっている。またこのクリック係合部３３とクリック被係合部３５の係合により操作部２５を保持することで、ストッパ部２４をトリガー１７の非移動域及び移動域の位置で保持できるようにしている。即ち本例ではクリックばね３４のクリック被係合部３５がストッパ部２４の保持手段となっている。
【００３２】
上記電動工具をモータ６の最大回転速度を制限せずに使用する場合は、操作部２５を左右方向の一方（図示例では右方）にスライド操作して、上下方向に移動自在となった移動体２６の挿入部３０をガイド傾斜溝３１の下端側に移動させる。これにより操作部２５のクリック係合部３３はクリック被係合部３５に係合し、また同時に図２のように移動体２６のストッパ部２４がトリガー１７の移動域から下方の非移動域に移動し、これによりトリガー１７がストッパ部２４上方の移動域を通過可能となる。しかしてトリガー１７は図２の最大限引き込んだ位置まで引き込めるようになり、モータ６の最大回転速度が制限されない状態となる。
【００３３】
またモータ６の最大回転速度を制限する場合は、操作部２５を左右方向の他方（図示例では左方）にスライド操作して、上下方向に移動自在となった移動体２６の挿入部３０をガイド傾斜溝３１の上端側に移動させる。これにより操作部２５のクリック係合部３３はクリック被係合部３５に係合し、また同時に図１のように移動体２６のストッパ部２４がトリガー１７の非移動域から上方の移動域に突出する。しかしてトリガー１７を中程まで引き込んだ時には図３のようにトリガー１７の移動域に突出したストッパ部２４の平坦面となった前面にトリガー１７の後面が当接してトリガー１７がそれ以上引き込めないようになり、これによりスイッチ本体２０の前面からストッパ部２４の前面までの距離ｌだけトリガー１７の最大引込量が制限されてモータ６の最大回転速度が制限される。つまり操作部２５を操作してストッパ部２４をトリガー１７の移動域に配した際には非移動域に配した際と比較してモータ６の最大回転速度を小さく設定でき、これにより最大回転速度をストッパ部２４により機械的に２段階変更できるようになっている。
【００３４】
そして上記のように操作部２５を操作してモータ６の最大回転速度が作業内容等に応じて設定された後、この電動工具のグリップ部１を人差し指がトリガー１７の前面に当たるように把持し、この人差し指でトリガー１７を引き込んで引込量を適宜変更しながら作業が行われる。
【００３５】
ここで本発明では前述したようにストッパ部２４を操作するための操作部２５をグリップ部１から離れた位置にある電池収納部３の上面に設けてあるので、グリップ部１を把持する際や、把持している際に手指が操作部２５に当たり難く、またこの操作部２５を設けた電池収納部３の上面は本体２側を向く面でもあるので、作業をしていない時に電動工具を載置面に置く等した際にも操作部２５が載置面に当たり難く、これにより操作部２５が誤操作されることを防止でき、さらには電動工具が誤って落下したとしても操作部２５が床等に当たり難く、落下による操作部２５の破損を防止できる。また例えば手が大きい人がトリガー１７を強く引き込んだりグリップ部１を強い力で把持する際等にグリップ部１を把持する手の小指側が操作部２５に当たって誤操作されることが考えられるが、本発明では操作部２５のスライド操作方向を左右方向としているのでこの誤操作も防止できる。つまりグリップ部１を強い力で把持する際の手の小指側が移動する方向は前後方向に移動するものであり、この前後方向に移動する手が仮に操作部２５に当たったとしても該操作部２５の操作方向は左右方向であるので操作部２５は移動せず、これにより前記手の小指側による操作部２５の誤操作を防止できるのである。
【００３６】
次に上記とは異なる例を図７及び図８に示す。なお図１の例と同一の構成については同一の番号を付与してあり、重複する説明は省略する。
【００３７】
本例では上記移動体２６が下方又は上方に移動する方向にばね力を付勢してストッパ部２４をトリガー１７の非移動域又は移動域で保持する補助ばね３７を設けると共に、トリガー１７の非移動域又は移動域のうち少なくとも前記補助ばね３７によりストッパ部２４が保持される域とは反対側の域に位置したストッパ部２４を保持するための保持手段を設けている。図示例では移動体２６の下端部に設けた突片部３２の上面と同面に対向するハウジング４の内面の間に補助ばね３７を配設してあり、この補助ばね３７により移動体２６が下方に移動する方向にばね力を付勢して図７のようにストッパ部２４をトリガー１７の非移動域で保持できるようにしている。また図１の例と同様クリック係合部３３とクリック被係合部３５の係合によりストッパ部２４をトリガー１７の非移動域及び移動域の両方の位置で保持できるようにしている。このように本例では移動体２６が下方又は上方に移動する方向にばね力を付勢してストッパ部２４をトリガー１７の非移動域又は移動域で保持する補助ばね３７を設けているので、該補助ばね３７によりガイド傾斜溝３１による挿入部３０の上下方向の移動をスムーズに行えるようになり、移動体２６と操作部２５の移動をスムーズにできる。
【００３８】
次に上記とは更に異なる例を図９及び図１０に示す。なお図１の例と同一の構成については同一の番号を付与してあり、重複する説明は省略する。
【００３９】
本例では移動体２６に該移動体２６の移動に伴いトリガー１７の移動域に突出引退自在となる突出引退部３８を設け、該移動体２６の突出引退部３８にトリガー１７の移動方向における位置を調節可能なストッパ部２４を設けている。図示例では移動体２６の上端部を突出引退部３８とし、該突出引退部３８に設けたトリガー１７の移動方向に貫通する雌ねじ孔３９に外面に雄ねじ部を形成したストッパ部２４を挿入螺着し、これによりストッパ部２４を移動体２６の突出引退部３８から前方に向けて突設している。またグリップ部１の前面部におけるトリガー１７の非移動域に位置したストッパ部２４に対向する部位（即ちトリガー１７のすぐ下の部位）には前後方向に貫通する工具挿入孔４０を設けてあり、該工具挿入孔４０よりグリップ部１内に挿入したドライバ等の工具を挿入して非移動域に位置した状態にあるストッパ部２４の操作面となった前面を回転操作できるようになっている。しかして本例ではストッパ部２４を工具で回転操作することで、ストッパ部２４の雌ねじ孔３９へのねじ込み量を調節してストッパ部２４の突出引退部３８からの前方への突出量を調節でき、これによりストッパ部２４のトリガー１７の移動方向における位置を無段階で調節できてトリガー１７の最大引込量、延いてはモータ６の最大回転速度を微調整できるようになっている。なお本例は図７の実施例に適用しても良いものとする。
【００４０】
次に上記とは更に異なる例を図１１〜１４に示す。なお図１の例と同一の構成については同一の番号を付与してあり、重複する説明は省略する。
【００４１】
本例では上記ストッパ部２４のトリガー１７に当接する当接面又はトリガー１７のストッパに当接する当接面のうち、一方の当接面を平坦面とし、他方の当接面として、トリガー１７の移動方向に段差をつけた当接面４１をストッパ部２４の突出方向に複数設けている。図示例ではストッパ部２４のトリガー１７に当接する当接面（前面）を平坦面とし、トリガー１７のストッパに当接する当接面として、トリガー１７の移動方向に段差をつけた当接面４１をストッパ部２４の突出引退方向に複数設けている。トリガー１７の移動方向に段差をつけたこれら当接面４１はトリガー１７の後面の下端部に前方に凹む段部４２を階段状に複数段（図示例では２段）設けることで形成され、即ちトリガー１７には下方の当接面４１程前方に位置するように当接面４１が段部４２の数＋１（図示例では３つ）形成される。また図１２のように操作部２５にはクリック係合部３３が左右方向に前記段部４２の数（図示例では２つ）だけ並設してあって、各クリック係合部３３をクリック被係合部３５に係合することで操作部２５をストッパ部２４が各当接面４１に当接したスライド位置に保持できるようにしている。しかして本例では操作部２５の左右方向のスライド操作により図１３や図１４のようにストッパ部２４のトリガー１７の移動域への突出量を複数段階変更でき、これによりストッパ部２４をトリガー１７の任意の当接面４１に当接してトリガー１７の最大引込量を多段階調節できる。なお本例は図７の実施例に適用しても良いものとする。
【００４２】
次に上記とは更に異なる例を図１５及び図１６に示す。なお図１の例と同一の構成については同一の番号を付与してあり、重複する説明は省略する。
【００４３】
本例ではクリック係合部３３を移動体２６に設けてあり、また上記クリック被係合部３５をハウジング４に一体に設けている。図示例ではクリック係合部３３を移動体２６の下部から前方に向けて突設してあり、また移動体２６を上下方向に移動自在に支持するハウジング４に設けた複数の丸ボス４３の内、任意の丸ボス４３をクリック被係合部３５としている。しかして本例では移動体２６に一体に設けたクリック係合部３３とハウジング４に一体に設けたクリック被係合部３５の係合により、ストッパ部２４を移動域及び非移動域に位置させた状態で保持でき、また操作部２５の切換時にクリック感が得られ、これにより既述の図１の例のようにクリックばね３４を別途設ける必要がなくて、保持手段及びクリック感発生手段を簡単な構成とすることができる。なお本例は図７、図９、図１１の実施例に適用しても良い。
【図面の簡単な説明】
【００４４】
【図１】本発明の実施の形態の一例を示すものであり、図はストッパ部をトリガーの移動域に突出し、且つトリガーを引き込んでいない状態を示す電動工具の側断面図である。
【図２】同上のストッパ部をトリガーの非移動域に移動し、且つトリガーを最大限引き込んだ状態を示す電動工具の側面図である。
【図３】図１の状態からトリガーを引き込んだ状態を示す電動工具の側断面図である。
【図４】図１のＡ―Ａ断面図である。
【図５】図１のＢ−Ｂ断面図である。
【図６】同上の移動体の斜視図である。
【図７】他例の電動工具を示し、図はストッパ部をトリガーの移動域に突出し、且つトリガーを引き込んでいない状態を示す電動工具の側断面図である。
【図８】同上のストッパ部をトリガーの非移動域に移動し、且つトリガーを最大限引き込んだ状態を示す電動工具の側面図である。
【図９】更に他例の電動工具を示し、図は突出引退部及びストッパ部をトリガーの移動域に位置させ、且つトリガーを引き込んでいない状態を示す電動工具の側断面図である。
【図１０】（ａ）は同上の突出引退部及びストッパ部をトリガーの非移動域に位置させ、且つトリガーを引き込んでいない状態を示す電動工具の側断面図であり、（ｂ）は要部正面図である。
【図１１】更に他例の電動工具を示し、図はストッパ部をトリガーの下から２段目の当接面の移動域に移動し、且つトリガーを引き込んでいない状態を示す電動工具の側断面図である。
【図１２】図１１のＣ−Ｃ断面図である。
【図１３】図１１の状態からトリガーを引き込んだ状態を示す電動工具の側断面図である。
【図１４】ストッパ部をトリガーの最下段の当接面の移動域に位置させ、且つトリガーを引き込んだ状態を示す電動工具の側断面図である。
【図１５】更に他例の電動工具を示し、図はストッパ部をトリガーの移動域に突出し、且つトリガーを引き込んでいない状態を示す電動工具の側断面図である。
【図１６】同上のストッパ部をトリガーの非移動域に移動し、且つトリガーを引き込んでいない状態を示す電動工具の側断面図である。
【符号の説明】
【００４５】
１  グリップ部
２  本体
３  電池収納部
４  ハウジング
６  モータ
１７  トリガー
１８  スイッチ
２４  ストッパ部
２５  操作部
２６  移動体
３０  挿入部
３１  ガイド傾斜溝
３３  クリック係合部
３５  クリック被係合部
３７  補助ばね
３８  突出引退部
４１  当接面
【図１】
0004735106.tif 000002
【図２】
0004735106.tif 000003
【図３】
0004735106.tif 000004
【図４】
0004735106.tif 000005
【図５】
0004735106.tif 000006
【図６】
0004735106.tif 000007
【図７】
0004735106.tif 000008
【図８】
0004735106.tif 000009
【図９】
0004735106.tif 000010
【図１０】
0004735106.tif 000011
【図１１】
0004735106.tif 000012
【図１２】
0004735106.tif 000013
【図１３】
0004735106.tif 000014
【図１４】
0004735106.tif 000015
【図１５】
0004735106.tif 000016
【図１６】
0004735106.tif 000017